(57)【特許請求の範囲】
【請求項１】
受信した画情報を転送先に転送可能に構成された通信装置であって、
受信した画情報を記憶する受信画情報記憶手段と、
前記転送先の情報を記憶する転送先情報記憶手段と、
回線から送出される呼出信号を受信し、回線を閉結した後に、発呼側から前記転送先の変更の指示があった場合に、変更された転送先の情報を受け付ける受付手段と、
その受付手段にて受け付けられた転送先の情報に基づいて、前記転送先情報記憶手段に記憶されている転送先の情報を変更する転送先変更手段と、
前記転送先情報記憶手段に記憶された転送先の情報を含む識別用画情報を作成する画情報作成手段と、
前記画情報作成手段により作成された識別用画情報を発呼側に送信する識別用画情報送信手段と、
前記識別用画情報の送信の要求信号が前記発呼側から送信されたか否かを判断する要求信号判断手段とを備え、
前記転送先変更手段による転送先の変更が行われた後に、前記要求信号判断手段は、前記識別用画情報の送信の要求信号が発呼側から送信されたか否かを判断し、
前記要求信号判断手段により、前記要求信号が送信されたと判断された場合に、前記識別画情報送信手段は、前記画情報作成手段により作成された変更後の転送先の情報に基づく前記識別用画情報を前記発呼側に送信し、
前記発呼側から転送先の確認を示す信号を受信すると、前記受信画情報記憶手段に記憶した受信した画情報を転送先に転送する転送モードをオンにし、
画情報を受信した場合に、転送モードがオンになっている場合には、前記受信画情報記憶手段に記憶した受信した画情報を転送先情報記憶手段に記憶されている転送先へ転送することを特徴とする通信装置。
【請求項２】
前記転送先の情報は、転送先の電話番号と自機の電話番号とを含むことを特徴とする請求項１に記載の通信装置。
【請求項３】
前記発呼側から転送先の確認を示す信号を受信すると、受付音を前記発呼側へ出力することを特徴とする請求項１又は２に記載の通信装置。
【発明の詳細な説明】
【０００１】
【産業上の利用分野】
本発明は、受信した画情報を転送することができる通信装置に関するものである。
【０００２】
【従来の技術】
従来、ファクシミリ装置などの通信装置においては、受信した画情報の転送機能を有するものがある。画情報の転送は、当該ファクシミリ装置の操作パネルに転送先の電話番号等を直接入力する方式の他、出先のファクシミリ装置から当該ファクシミリ装置へ転送先を入力するリモコン方式がある。
該リモコン方式では、例えば、Ｂ地点に置かれたファクシミリ装置への転送を指示した者が、Ｃ地点に移動した場合に、該Ｃ地点に置かれているファクシミリ装置へ転送するよう転送先の変更の指示が可能である。このリモコン方式での転送先の変更は、先ず転送先のファクシミリ装置に付帯された電話機により、当該転送を行うファクシミリ装置を呼び出し、予め決められている番号を電話機のテンキーから入力することにより転送指令を指示し、引き続き転送先の電話番号を該テンキーから入力することにより行われている。ファクシミリ装置の転送先の変更においては、誤った番号が入力されると、その番号が通常の電話機の場合には、繰り返しファクシミリデータの転送が試みられるため相手方に迷惑をかけることになる。このため、上記リモコン方式で転送先を変更する場合には転送先の電話番号の確認が必須となる。
従来は電話番号の確認を、入力された電話番号をボイス回路等で読み上げることにより行っていた。例えば、テンキーから００・・の番号が入力された場合に、入力完了後ファクシミリ装置が、転送先の電話番号としてゼロ、ゼロ・・と音声を送出することにより確認を求める方式が取られていた。
【０００３】
【発明が解決しようとする課題】
しかしながら、上記音声により入力された電話番号を読み上げる方式のものは、操作者が耳で電話番号を確認するため聞き間違いが生じ易く、誤って入力された電話番号がファクシミリの場合には、当該誤った電話番号のファクシミリ装置へ画情報が転送されてしまい、通信内容が第三者に知られる他、その画情報を失うことになった。更に、電話番号を読み上げるためには、音声を発生するための専用のボイス回路を付加するか、或いは、音声合成用の特殊な情報を保持する必要があるため、転送機能の実現にコストが嵩むという問題点もあった。
【０００４】
本発明は、上述した課題を解決するためになされたものであり、転送先の情報を目で確認できる通信装置を提供することを目的とする。
また、本発明は、転送機能を有する通信装置を安価に提供することを目的としている。
【０００５】
【課題を解決するための手段】
上記の目的を達成するため、請求項１の通信装置は、受信した画情報を転送先に転送可能に構成された通信装置であって、受信した画情報を転送先に転送可能に構成された通信装置であって、受信した画情報を記憶する受信画情報記憶手段と、前記転送先の情報を記憶する転送先情報記憶手段と、回線から送出される呼出信号を受信し、回線を閉結した後に、発呼側から前記転送先の変更の指示があった場合に、変更された転送先の情報を受け付ける受付手段と、その受付手段にて受け付けられた転送先の情報に基づいて、前記転送先情報記憶手段に記憶されている転送先の情報を変更する転送先変更手段と、前記転送先情報記憶手段に記憶された転送先の情報を含む識別用画情報を作成する画情報作成手段と、前記画情報作成手段により作成された識別用画情報を発呼側に送信する識別用画情報送信手段と、前記識別用画情報の送信の要求信号が前記発呼側から送信されたか否かを判断する要求信号判断手段とを備え、前記転送先変更手段による転送先の変更が行われた後に、前記要求信号判断手段は、前記識別用画情報の送信の要求信号が発呼側から送信されたか否かを判断し、前記要求信号判断手段により、前記要求信号が送信されたと判断された場合に、前記識別画情報送信手段は、前記画情報作成手段により作成された変更後の転送先の情報に基づく前記識別用画情報を前記発呼側に送信し、前記発呼側から転送先の確認を示す信号を受信すると、前記受信画情報記憶手段に記憶した受信した画情報を転送先に転送する転送モードをオンにし、画情報を受信した場合に、転送モードがオンになっている場合には、前記受信画情報記憶手段に記憶した受信した画情報を転送先情報記憶手段に記憶されている転送先へ転送するように構成されている。
また、請求項２の通信装置は、請求項１に記載の発明の構成に加えて、前記転送先の情報は、転送先の電話番号と自機の電話番号とを含むことを特徴とする。
さらに、請求項３の通信装置は、請求項１又は２に記載の発明の構成に加えて、前記発呼側から転送先の確認を示す信号を受信すると、受付音を前記発呼側へ出力することを特徴とする。
【０００６】
【作用】
上記構成を有する請求項１の通信装置では、受信した画情報が受信画情報記憶手段に記憶され、転送先情報記憶手段には、受信画情報記憶手段に記憶された受信した画情報の転送先の情報が保持される。回線から送出される呼出信号を受信し、回線を閉結した後に、発呼側から前記転送先の変更の指示があった場合に、受付手段が変更された転送先の情報を受け付け、転送先変更手段が受付手段にて受け付けられた転送先の情報に基づいて、転送先情報記憶手段に記憶されている転送先の情報を変更する。前記転送先変更手段による転送先の変更が行われた後に、要求信号判断手段は、識別用画情報の送信の要求信号が発呼側から送信されたか否かを判断し、要求信号が送信されたと判断された場合に、識別画情報送信手段は、画情報作成手段により作成された変更後の転送先の情報に基づく識別用画情報を前記発呼側に送信し、発呼側から転送先の確認を示す信号を受信すると、受信画情報記憶手段に記憶した受信した画情報を転送先に転送する転送モードをオンにする。画情報を受信した場合に、転送モードがオンになっている場合には、受信画情報記憶手段に記憶した受信した画情報を転送先情報記憶手段に記憶されている転送先へ転送する。
また、請求項２の通信装置では、請求項１に記載の発明の作用に加え、前記転送先の情報は、転送先の電話番号と自機の電話番号とを含んでいるので、転送先の電話番号及び自機の電話番号を確認できる。
さらに、請求項３の通信装置では、請求項１又は２に記載の発明の作用に加え、前記発呼側から転送先の確認を示す信号を受信すると、受付音を前記発呼側へ出力することができるので、操作者は、転送が実行されることを知ることができる。
【０００７】
【実施例】
以下、本発明の通信装置の実施例を図面を参照して説明する。
図１は、本発明の第１実施例に係るファクシミリ装置の電気的構成を示している。ファクシミリ装置は、バスライン１４に接続されたＣＰＵ１２を有する。このバスライン１４には、受信された画情報を一時保持するＲＡＭ１６と、転送先の電話番号等を保持するＥＥＰＲＯＭ１８と、種々の制御ルーチン等の制御情報を保持するＲＯＭ２０と、画像処理部２２と、モデム２４と、電話番号発生回路２５と、タイマー２６と、ゲートアレー２８とが接続されている。画像処理部２２には、送信用の原稿の読み取りを行うＣＣＤイメージセンサ３０が接続されている。ゲートアレー２８には、当該ファクシミリ装置への入力を行うためのテンキーやファンクションキー（図示せず）及び各種表示を行うためのＬＥＤ（図示せず）等を備えるパネル部３２と、記録用紙への印字を行うサーマルヘッド３４とが接続されている。他方、モデム２４には、スイッチ回路ＳＷ１を介してネットワークコントロールユニット（以下、ＮＣＵと称する）３６が接続されている。該ＮＣＵ３６は、スイッチ回路ＳＷ２により、ハンドセット３８と、電話回線４０と、図示しない内線電話４２との切換を行う。他方、スイッチ回路ＳＷ１には、スピーカ４４が接続されている。
【０００８】
モデム２４は、ディジタル信号をアナログ信号に変調し、ＮＣＵ３６を介して電話回線４０に出力するとともに、電話回線４０から入力されるアナログ信号をディジタル信号に復調する変調・復調機能とを備えた装置である。尚、モデム２４は、上記の機能の他に、音声アナログデータを音声ディジタルデータに変換する音声ディジタル化機能及び音声ディジタルデータをアナログ音声データに再生する音声再生機能とを備えていても良い。
【０００９】
ＮＣＵ３６は、ダイヤリング機能と信号検出機能とを有しており、電話回線４０に適した方式で信号を送り出したり、電話回線４０から送られてくる信号を検出したりして、モデム２４と電話回線４０との情報の授受を仲介する装置である。また、ＮＣＵ３６には、ハンドセット３８が接続されており、本ファクシミリ装置のユーザと相手先との通話が行い得るようになっている。
【００１０】
電話番号発生回路２５は、他の電話機もしくはファクシミリ装置への呼出しを行う際の呼出番号（ＤＴＭＦ信号またはダイヤルパルス信号）を発生させる回路であり、ファクシミリデータの転送時に、ＣＰＵ１２の指令により先方の呼出番号の情報が入力されると、この情報に基づいてＤＴＭＦ信号またはダイヤルパルス信号を発生する。このＤＴＭＦ信号またはダイヤルパルス信号がＮＣＵ３６を経て電話回線４０に送られ、電話回線４０に接続された交換機から相手側への発呼がなされる。
また、スピーカ４４は、電話の呼出信号等を鳴動する装置である。
【００１１】
ＣＰＵ１２は、原稿をＣＣＤイメージセンサ３０で読み取り、送信先のファクシミリ装置の仕様によって決まる符号化の方式に従いＭＨ符号、ＭＲ符号、ＭＭＲ符号へ符号化してデータ圧縮を行う。同様に、送信元のファクシミリ装置の仕様によって符号化された受信情報（画情報）を復号化して、サーマルヘッド３４にて記録用紙へ印字を行う。
【００１２】
図２は、ＲＡＭ１６に記憶される情報の内容を概念的に示しており、該ＲＡＭ１６には、入力された電話番号を記憶する番号メモリ５２と、受信された画情報を一時保持する画情報メモリ５４とが含まれている。また、図３は、ＥＥＰＲＯＭ１８に保持される情報の内容を概念的に示しており、該ＥＥＰＲＯＭ１８には、画情報の転送先の電話番号を保持する転送先番号メモリ６２が含まれている。更に、図４は、ＲＯＭ２０に保持される情報の内容を概念的に示しており、該ＲＯＭ２０には、ＣＰＵ１２が転送先を変更する際に実行する転送先変更処理ルーチンを保持する転送先変更処理ルーチンメモリ７２と、画情報を受信する際に実行する画情報受信処理ルーチンを保持する画情報受信ルーチンメモリ７４と、画情報を転送する際に実行する画情報転送処理ルーチンを保持する画情報転送ルーチンメモリ７６とが含まれている。
【００１３】
〔ファクシミリ装置からの変更指示〕
ここで、本実施例のファクシミリ装置に転送先変更を指示した場合に実行される転送先変更処理ルーチンについて図５のフローチャートを参照して説明する。ここでは先ず、出先のＢ地点からＣ地点への移動を予定している操作者が、Ｂ地点に置かれているファクシミリ装置（以下、Ｂ機と称する）へ転送するように設定されていた本実施例のファクシミリ装置に、Ｃ地点に置かれているファクシミリ装置（以下、Ｃ機と称する）に転送するように転送先変更を該Ｂ機（即ち操作者がＣ地点への移動前に）から指示する場合を例に挙げて説明する。
【００１４】
先ず、転送先の変更を設定する操作者が、Ｂ機のハンドセットを上げて受付音を聴取できる状態にして、テンキーにより本ファクシミリ装置の電話番号をダイヤルする。これにより電話回線４０側から呼出信号が本実施例のファクシミリ装置側へ送出される。この呼出信号を受け付けると（Ｓ１００でＹｅｓ）、ファクシミリ装置のＣＰＵ１２は、ＮＣＵ３６を制御して回線を閉結、即ち、回線をつなぎ、電話回線４０側からの入力に備える（Ｓ１０１）。
【００１５】
次に、操作者が、Ｂ機のテンキーより転送先変更要求として予め割り当てられている番号“９５４”を入力すると、後述するステータスリストが要求されたか否かを判断するＳ１０２の判断結果がＮｏとなり、次いで、変更要求があったか否かの判断を行うＳ１０３の判断結果がＹｅｓとなり、ＣＰＵ１２は、内部に設けられた発振回路（図示せず）の発振音をＢ機側へ受付音として送出する（Ｓ１０４）。これにより操作者は、転送先変更要求がファクシミリ装置により識別され、転送先の電話番号の入力準備が整ったことを知る。
【００１６】
そして、操作者は、Ｂ機のテンキーよりＣ機の電話番号（ここでは、市街局番が０１２で、電話番号が３４５６７８９であったとする）をファクシミリ装置側に入力する。なおここでは、本実施例のファクシミリ装置が内線用交換機に接続されているため、該ファクシミリ装置が外線に接続されるためには、先ず、番号“０”を内線用交換機にかけて該内線用交換機により外線と接続させる必要があるものとする。このため、操作者は、上記電話番号の先頭に“０”を付加した電話番号“００１２３４５６７８９”を入力する。操作者は、最初に外線接続用の番号“０”を該テンキーの０キーを押し下げることにより入力する。これに応じて、Ｂ機から“０”キーに相当するＤＴＭＦ信号が本ファクシミリ装置側へ送られる。これにより、入力された信号がＤＴＭＦ信号か否かの判断を行うＳ１０５の判断結果がＹｅｓとなり、電話番号の入力が完了したか否かが判断される（Ｓ１０６）。ここでは、電話番号の入力はまだ終わっていないので（Ｓ１０６でＮｏ）、ＣＰＵ１２は、入力された番号“０”をＲＡＭ１６の番号メモリ５２へ記憶させる（Ｓ１０７）。そして、入力された電話番号が２０桁を越えるかを判断するが（Ｓ１０８）、ここではＳ１０８の判断結果がＮｏとなり、前記Ｓ１０５へ戻る。尚、本実施例においては、電話番号の入力最大桁数を２０桁としている。
【００１７】
操作者は、外線接続用の番号“０”の入力に続き電話番号の入力を開始する前に、後述するポーズ信号として割り当てられた“＊”を入力するためにＢ機のテンキーの＊キーを押し下げる。これに応じて、Ｂ機から“＊”キーに相当するＤＴＭＦ信号が送出される。これにより、前記Ｓ１０５の判断結果がＹｅｓとなる。そして、電話番号の入力が完了したか否かを判断するＳ１０６の判断結果はＮｏとなり、ＣＰＵ１２は、入力された番号（ポーズ信号）“＊”をＲＡＭ１６の番号メモリ５２へ記憶させる（Ｓ１０７）。そして、入力された電話番号は２０桁を越えていないので（Ｓ１０８でＮｏ）、前記Ｓ１０５へ戻る。以下操作者は、引き続き、Ｃ機の市街局番０１２及び電話番号３４５６７８９を入力して行き、この入力された番号“０＊０１２３４５６７８９”が番号メモリ５２へ記憶される（Ｓ１０５〜Ｓ１０８）。電話番号の入力が完了し、操作者が、電話番号の入力完了を示す“＃”をＢ機のテンキーの＃キーを押し下げると、これに応答して、電話番号の入力完了を示すＤＴＭＦ信号が送られてくるので（Ｓ１０６でＹｅｓ）、ＣＰＵ１２は、発振回路の発振音をＢ機側に受付音として送出する（Ｓ１１０）。これにより操作者は、転送先電話番号の入力が完了したことを知る。なお、入力された電話番号が２０桁を越える場合には（Ｓ１０８でＹｅｓ）、ＣＰＵ１２は、内部に設けられた発振回路により拒否音を発生させＢ機側に送出する。これにより、操作者は、入力を試みた電話番号が登録し得ないことを知る。
【００１８】
ＣＰＵ１２は、ＥＥＰＲＯＭ１８の転送先番号メモリ６２に保持されている転送先電話番号を、ＲＡＭ１６の番号メモリ５２に記憶されている電話番号“０＊０１２３４５６７８９”に書き換えることにより、転送先をＢ地点に置かれているファクシミリ装置（Ｂ機）からＣ地点に置かれているファクシミリ装置（Ｃ機）へと変更する（Ｓ１１１）。更に、受信モードをオンにし、かつタイマー２６をリセットして、受信された画情報（転送用の画情報）の画情報メモリ５４への保持を開始する。
【００１９】
次に、ＣＰＵ１２は、タイマー２６が所定時間に達するまで（Ｓ１１２）、操作者からのステータスリストの要求に対して待機する（Ｓ１１２、Ｓ１１３、Ｓ１１７）。そして、操作者が、Ｂ機のテンキーよりステータスリスト要求として予め割り当てられている番号“９６１”を入力すると、ステータスリスト要求があったか否かを判断するＳ１１３の判断結果がＹｅｓとなり、ＣＰＵ１２は、発振回路の発振音を発生させ受付音としてＢ機側に送出する（Ｓ１１４）。これにより操作者は、ステータスリストが送られることを知る。
【００２０】
次いで、ＣＰＵ１２は、Ｂ機へ送出するためのステータスリスト用の画情報を作成する（Ｓ１１５）。上記ＥＥＰＲＯＭ１８には、上述した転送先電話番号の他、本実施例のファクシミリ装置側のファクシミリ番号と電話番号とが保持されており、これらを基に図６に示すようにステータスリストには、転送先電話番号“０−０１２３４５６７８９”の他、本実施例のファクシミリ装置側のファクシミリ番号“０−×××−×××−３３３３”が含まれるように作成される。次に、ＣＰＵ１２は、ステータスリストの画情報を電話回線４０側へ送出する（Ｓ１１６）。これに応じて、操作者は、Ｂ機のハンドセットを上げた状態のまま、ファクシミリ受信用のスタートスイッチを押し下げることにより、送出されたステータスリストの画情報が該Ｂ機機側において受信され印刷が行われる。このステータスリストに記載された転送先の電話番号を視認することにより、操作者は適正に送信先が設定できたことを確認できる。
【００２１】
他方、上記タイマー２６がタイムアウトしていない限り、Ｓ１１２の判断結果がＮｏとなり、また、ステータスリストの要求が既になされているので、Ｓ１１３の判断結果がＮｏとなる。ここで、ステータスリストに記載された電話番号により転送先を確認できた操作者が、Ｂ機のテンキーより転送先の確認（転送開始指示）として予め割り当てられている番号“９５５”を入力すると、転送先の確認を示す信号が入力されたか否かを判断するＳ１１７の判断結果がＹｅｓとなり、ＣＰＵ１２は受付音をＢ機側へ送出する（Ｓ１１８）。これにより操作者は、転送が実行されることを知る。次に、ＣＰＵ１２は、後述する転送モードをオンし（Ｓ１１９）、そして、ＮＣＵ３６を制御して回線を開放することにより（Ｓ１２０）、転送先変更処理ルーチンを終了する。
【００２２】
なお、ステータスリストに記載された転送先の電話番号が誤っていた場合には、操作者は上記転送先の確認を行わない。これにより、前記Ｓ１１７の確認完了の判断がＮｏとなり、前記Ｓ１１２に戻るが、この状態で上記タイマー２６がタイムアウトすると（Ｓ１１２でＹｅｓ）、ＣＰＵ１２は、ＮＣＵ３６を制御して回線を開放し（Ｓ１２０）、転送先変更処理ルーチンを終了する。電話番号が誤っているため、操作者は転送先の正しい電話番号の入力を試みる。これにより、上述した転送先変更処理ルーチンが再度進められ、ステータスリストが送られる。このステータスリストの電話番号が適正であった場合には、転送先の確認を行うことにより（Ｓ１１７でＹｅｓ）、受付音をＢ機側に送出し（Ｓ１１８）、転送モードがオンされる（Ｓ１１９）。
尚、図５に示すフローチャートは手順をわかりやすくするために、転送先変更とリスト要求及び転送先確認とを順次行うようにしたが、上述した電話番号が誤っていた場合、回線を開放せずに続けて転送先の変更のやり直しをすることも可能である。
【００２３】
〔電話機からの変更指示〕
次に、本実施例のファクシミリ装置へ電話機から変更を指示した場合に実行される転送先変更処理ルーチンついて、再び、図５のフローチャートを参照して説明する。ここでは、出先のＢ地点からＣ地点への移動中の操作者が、Ｂ地点に置かれているファクシミリ装置（Ｂ機）へ転送するように設定されていた本実施例のファクシミリ装置に、Ｃ地点に置かれているファクシミリ装置（Ｃ機）に転送するように転送先変更をＢ地点からＣ地点に向かう途中の自動車電話（以下、Ｄ機と称する）から指示する場合を例に挙げて説明する。
【００２４】
先ず、転送先の変更を設定する操作者が、自動車電話（Ｄ機）のテンキーにより本実施例のファクシミリ装置の電話番号をダイヤルする。これにより、電話回線４０側から呼出信号がファクシミリ装置側へ送出される。この呼出信号を受け付けると（Ｓ１００でＹｅｓ）、ファクシミリ装置のＣＰＵ１２は、ＮＣＵ３６を制御して回線を閉結し、電話回線４０側からの入力に備える（Ｓ１０１）。
【００２５】
次に、操作者が、Ｄ機のテンキーより転送先変更要求の番号“９５４”を入力すると、ステータスリストが要求されたか否かの判断を行うＳ１０２の判断結果がＮｏとなり、次いで、変更要求があったか否かを判断するＳ１０３の判断結果がＹｅｓとなり、ＣＰＵ１２はＤ機側に受付音を送出する（Ｓ１０４）。
【００２６】
操作者は、Ｄ機のテンキーよりＣ機の電話番号（０＊０１２３４５６７８９）をファクシミリ装置側に入力する。以下、前記Ｓ１０５〜Ｓ１０８の処理が繰り返され、この入力された番号“０＊０１２３４５６７８９”がＲＡＭ１６の番号メモリ５２へ記憶される。電話番号の入力が完了し、操作者が、電話番号の入力完了を示す“＃”をＤ機のテンキーの＃キーを押し下げることにより入力する。これに応答して、電話番号の入力完了を示すＤＴＭＦ信号が送られてくるので（Ｓ１０６でＹｅｓ）、ＣＰＵ１２は、Ｄ機側に受付音を送出する（Ｓ１１０）。これにより操作者は、転送先電話番号の入力が完了したことを知る。電話番号の入力完了により、操作者は発呼を終了する。
【００２７】
他方、Ｓ１１１において、ＣＰＵ１２は、ＥＥＰＲＯＭ１８の転送先番号メモリ６２に保持されている転送先電話番号を、ＲＡＭ１６の番号メモリ５２に記憶されている電話番号“０＊０１２３４５６７８９”に書き換えることにより、転送先をＢ地点に置かれているファクシミリ装置（Ｂ機）からＣ地点に置かれているファクシミリ装置（Ｃ機）へと変更する。更に、受信モードをオンにし、かつタイマー２６をリセットして、受信された画情報の画情報メモリ５４への保持を開始する。そして、ＣＰＵ１２は、タイマー２６がタイムアウトするまで（Ｓ１１２でＹｅｓ）の間に、操作者からのステータスリストの要求の入力があるか（Ｓ１１３）或いは転送先の確認完了の入力がある（Ｓ１１７）まで待機するが、上述したように自動車電話（Ｄ機）の操作者は、発呼を終えているので（Ｓ１１３及びＳ１１７がＮｏ）、タイマー２６に設定された時間がタイムアウトして（Ｓ１１２でＹｅｓ）、ＣＰＵ１２は、回線を開放して（Ｓ１２０）一旦この転送先変更処理ルーチンを終了する。
【００２８】
その後、Ｃ地点に到着した操作者が、ファクシミリ装置（Ｃ機）のハンドセットを上げて、テンキーにより本ファクシミリ装置の電話番号を再びダイヤルする。これにより電話回線４０側から呼出信号が本実施例のファクシミリ装置側へ送出される。この呼出信号を受けて（Ｓ１００でＹｅｓ）、ファクシミリ装置のＣＰＵ１２は、回線を閉結して電話回線４０側からの入力に備える（Ｓ１０１）。そして、操作者が、Ｃ機のテンキーよりステータスリスト要求として予め割り当てられている番号“９６１”を入力すると、ステータスリストが要求されたことになり（Ｓ１０２でＹｅｓ）、ＣＰＵ１２は、受付音をＣ機側に送出する（Ｓ１１４）。これにより操作者は、ステータスリストが転送されることを知る。
【００２９】
次に、ＣＰＵ１２は、ステータスリスト用の画情報を作成し（Ｓ１１５）、作成した画情報を電話回線４０側へ送出する（Ｓ１１６）。これに応じて、操作者は、Ｃ機のハンドセットを上げた状態のまま、ファクシミリ受信用のスタートスイッチを押し下げる。これにより、送出されたステータスリストの画情報が該Ｃ機機側において受信され印刷が行われる。このステータスリストに記載された転送先の電話番号を視認することにより、操作者は適正に送信先が設定できたことを確認できる。
【００３０】
一方、上記タイマー２６がタイムアウトしていない限り、前記Ｓ１１２の判断結果がＮｏとなり、ステータスリストの要求が既になされているので、前記Ｓ１１３の判断結果がＮｏとなる。ここで、ステータスリストに記載された転送先の電話番号により転送先を確認できた操作者が、Ｃ機のテンキーより転送先確認（転送開始指令）として予め割り当てられている番号“９５５”を入力することにより、前記Ｓ１１７における確認完了の判断がＹｅｓとなり、ＣＰＵ１２は受付音をＣ機側へ送出する（Ｓ１１８）。これにより、操作者は、転送が実行されることを知る。次に、ＣＰＵ１２は、後述する転送モードをオンにし（Ｓ１１９）、ＮＣＵ３６を制御して回線を開放することにより（Ｓ１２０）、転送先変更処理ルーチンを終了する。
【００３１】
なお、ステータスリストに記載された転送先の電話番号が誤っていた場合には、操作者は上記転送先確認を行わない。これにより、前記Ｓ１１７における確認完了の判断がＮｏとなって、前記Ｓ１１２に戻り、この状態で上記タイマー２６がタイムアウトすると（Ｓ１１２でＹｅｓ）、ＣＰＵ１２は、ＮＣＵ３６を制御して回線を開放して（Ｓ１２０）当該転送先変更処理ルーチンを終了する。このため、操作者は、転送先の正しい電話番号をＣ地点に置かれたファクシミリ装置（Ｃ機）から入力する。これにより、上述した転送先変更ルーチンが再度進められ、ステータスリストが再度送られる。このステータスリストの電話番号が適正であった場合には、操作者が転送先確認を行うと（Ｓ１１７でＹｅｓ）、受付音をＣ機側へ送出し（Ｓ１１８）、転送モードがオンされる（Ｓ１１９）。
【００３２】
次に、図５に示す転送先変更処理ルーチンのＳ１１１における受信モードオン以降に本ファクシミリ装置へファクシミリデータの着信があった際に実行される画情報受信処理ルーチンについて図７の画情報転送処理ルーチンのフローチャートを参照して説明する。
呼出信号が交換機側から送られると（Ｓ１５１でＹｅｓ）、ファクシミリ装置のＣＰＵ１２は、ＮＣＵ３６を制御して回線を開放して電話回線４０側からの入力に備える（Ｓ１５２）。電話回線４０側から画情報が送られてくると、これをＲＡＭ１６の画情報メモリ５４に保持する（Ｓ１５３、Ｓ１５４）。そして、画情報の受信が完了すると（Ｓ１５４でＹｅｓ）、ＣＰＵ１２は、ＮＣＵ３６を制御して回線を開放する（Ｓ１５５）。次いで、タイマー２６に設定された一定時間、例えば６秒間だけ待機し（Ｓ１５６）、転送モードがオンか否かを判断する（Ｓ１５７）。そして、転送モードがオンされていない場合には（Ｓ１５７でＮｏ）、画情報受信処理ルーチンを終了する。
【００３３】
一方、図５に示す転送先変更処理ルーチンのＳ１１９にて転送モードがオンされた以降に実行される画情報転送処理ルーチンについて図７を参照して説明する。
まず、上述したように、ファクシミリデータの着信があり、そのデータをＲＡＭ１６の画情報メモリ５４に記憶し、回線を開放する（Ｓ１５１〜Ｓ１５５）。続いて、タイマー２６に設定された６秒間だけ待機し（Ｓ１５６）、転送モードがオンか否かを判断する（Ｓ１５７）。この場合、転送モードがオンされているので（Ｓ１５７でＹｅｓ）、ＣＰＵ１２は再び回線を閉結し（Ｓ１５８）、ＥＥＰＲＯＭ１８に保持されている転送先電話番号“０＊０１２３４５６７８９”に基づき、転送先であるＣ機をダイヤルする（Ｓ１５９）。このＳ１５９におけるダイヤル処理について、図８に示すフローチャートを参照して詳細に説明する。
【００３４】
先ず、ＣＰＵ１２は、ＥＥＰＲＯＭ１８の転送先番号メモリ６２に記憶された転送先電話番号の１つの番号を読み出し（Ｓ２０１）、転送先電話番号の最初の番号が“＊”であるか否かを判断する（Ｓ２０２）。ここでは最初の番号は“０”なので（Ｓ２０２でＮｏ）、該番号“０”に相当するＤＴＭＦ信号またはダイヤルパルス信号を、電話番号発生回路２５により発生させて電話回線４０側へ送出する（Ｓ２０３）。そして、ダイヤリングが終了したかを判断するが（Ｓ２０４）、ここではそのＳ２０４での判断結果はＮｏとなり、前記Ｓ２０１へ戻り、転送先電話番号の次の番号を読み出す。
【００３５】
次に、ＣＰＵ１２は、転送先電話番号の２番目の番号（ここでは“＊”）が“＊”であるか否かを判断する（Ｓ２０２）。ここでは、Ｓ２０２の判断結果がＹｅｓとなり、＊の次の番号の送出までタイマー２６に設定された３秒程度待機する。本実施例のファクシミリ装置は前述したように内線用交換機に接続されているため、外線へ接続させるためのには、先ず、番号“０”を内線用交換機に送り外線と接続させる必要があるが、番号“０”に続いて直ぐに次の番号をかけた際に、内線用交換機が未だ当該回線を外線へ接続していない場合には、次の番号が外線の交換機側へ送出されず、Ｃ機へ電話がつながらない事態が発生することがある。このため、前記Ｓ２０２の判断後、タイマー２６に設定された３秒程度待機して（Ｓ２０５）外線へ確実に接続されるまで次の番号の送出を見合わせる。この待機時間の経過後、ダイヤリングが終了したか否かを判断するが（Ｓ２０４）、ここでは、Ｓ２０４の判断結果がＮｏとなり、前記Ｓ２０１へ戻る。
【００３６】
以降、前記Ｓ２０１〜Ｓ２０４の処理により第３番目以降の番号“０１２３４５６７８９”が順次回線側に送出され、外線の交換機によりＣ機に呼出信号が送出される。そして、図７に示すＳ１６０において、画情報メモリ５４に保持されている画情報をＣ機側へ転送する。この転送が完了すると（Ｓ１６１でＹｅｓ）、ＮＣＵ３６を制御して回線を開放し（Ｓ１６２）、画情報転送処理ルーチンが終了する。なお、この転送モードオン以降にファクシミリの着信があった場合には、図７に示した画情報受信処理ルーチン及びこの画情報転送処理ルーチンが一連の処理としてＣＰＵ１２により進められる。
【００３７】
この実施例においては、ファクシミリ装置が内線用交換機に接続されている場合にも確実に画情報を転送できる利点がある。
また、本ファクシミリ装置は、画情報の転送先変更の指示を受けると画情報の保持を開始し、識別用画情報を基に転送先を確認した操作者からの転送開始指令を受けてから該保持した画情報の転送を開始するため、操作者は、転送先の電話番号を目で確認してから転送開始を指示することができる。特に操作者が電話にて移動前に転送先を変更し、移動後にファクシミリ装置により識別用画情報を受信して転送先を確認する場合においても、確認以降に転送開始を指示することにより、上記電話にて転送先を変更した時点からの画情報が送られてくるので、例え電話で誤った転送先を指示したとしても、該転送先の変更指示から実際の転送開始指示までの間に受信された画情報が誤って転送されることがなくなる。
【００３８】
【発明の効果】
以上詳述したように、本発明の請求項１に記載の通信装置においては、受信した画情報を転送先に転送可能に構成された通信装置で、転送先を発呼側からの指示により変更することができる。そして、転送先の変更が行われた後に、要求信号判断手段が識別用画情報の送信の要求信号が発呼側から送信されたか否かの判断を行い、要求信号が送信されたと判断されると、識別用画情報送信手段が該画情報作成手段により作成された変更後の転送先の情報に基づく識別用画情報を発呼側に送信するため、転送先の変更を行った際に、記憶手段に記憶されている転送先の情報を容易に確認することができる。また、転送先の確認を示す信号を受信すると、受信画情報記憶手段に記憶した受信した画情報を転送先に転送する転送モードをオンにすることができる。よって、画情報を受信した場合に、転送モードがオンになっている場合には、受信画情報記憶手段に記憶した受信した画情報を転送先情報記憶手段に記憶されている転送先へ転送することができる。さらに、操作者が移動前に転送先を変更し、移動後に識別用画情報を受信して転送先を確認する場合においても、転送先の確認以降に転送先を変更した時点からの画情報が送られてくるので、例え誤った転送先を指示したとしても、該転送先の変更指示から転送先の確認指示までの間に受信された画情報が誤って転送されることがなくなる。
また、請求項２に記載の通信装置では、請求項１に記載の発明の効果に加えて、転送先の電話番号及び自機の電話番号を目で確認することができ、転送先の電話番号などが正しいか否か、自機の通信装置からの送信であることを出先などから容易に確認することができる。
さらに、請求項３に記載の通信装置では、請求項１又は２に記載の発明の効果に加え、発呼側から転送先の確認を示す信号を受信すると、受付音を発呼側へ出力することができるので、操作者は、転送が実行されることを知ることができる。
【図面の簡単な説明】
【図１】  本発明の実施例に係るファクシミリ装置のブロック図である。
【図２】  ＲＡＭの内容を概念的に示す図である。
【図３】  ＥＥＰＲＯＭの内容を概念的に示す図である。
【図４】  ＲＯＭの内容を概念的に示す図である。
【図５】  転送先変更処理ルーチンを示すフローチャートである。
【図６】  本実施例のファクシミリ装置において発送されるステータスリストを示す図である。
【図７】  画情報転送処理ルーチンを示すフローチャートである。
【図８】  本実施例のファクシミリ装置のダイヤル処理を示すフローチャートである。
【符号の説明】
１２  ＣＰＵ
１６  ＲＡＭ
１８  ＥＥＰＲＯＭ
２０  ＲＯＭ
２４  モデム
２５  電話番号発生回路
３６  ＮＣＵ
【図１】
0003678137.tif 000002
【図２】
0003678137.tif 000003
【図３】
0003678137.tif 000004
【図４】
0003678137.tif 000005
【図５】
0003678137.tif 000006
【図６】
0003678137.tif 000007
【図７】
0003678137.tif 000008
【図８】
0003678137.tif 000009